(57)【特許請求の範囲】
【請求項１】
室内で作業者が作業する時に発生する化学物質を室外に排出させるための化学物質排出システムであって、
前記作業者が作業する時に前記化学物質の発生源を載置するための作業テーブルと、
該作業テーブルの前記作業者側の端部の鉛直上方において該作業者側の端部に沿って設けられる横長矩形状の天井吹出し口と、
前記作業者側の端部より該作業者を基準として前方の前記作業テーブル上において前記作業者側の端部に平行に設けられる横長直方体形状のファンユニットと、
該ファンユニットの鉛直上方において前記天井吹出し口に平行に設けられる横長矩形状の天井吸込み口と、
を備え、
前記ファンユニットは、前記化学物質の発生源に対向するように設けられる吸込み口と、前記天井吸込み口に対向するように設けられる吹出し口と、を有し、前記天井吹出し口から鉛直下向きに吹き出された空気は、前記作業テーブルの作業者側の端部から前記吸込み口に向かって前記作業テーブルに沿うように流れる過程で前記化学物質を回収した後、前記ファンユニットにより前記吹出し口から鉛直上向きに吹き出され、前記天井吹出し口を介して室外に排出されることを特徴とする化学物質排出システム。
【請求項２】
前記天井吹出し口の前記天井吸込み口側端部と該天井吸込み口の反対側端部の両側にそれぞれ垂れ壁が設けられており、該天井吸込み口の反対側端部の垂れ壁の高さは前記天井吸込み口側端部の垂れ壁より低く形成されていることを特徴とする請求項１に記載の化学物質排出システム。
【請求項３】
前記天井吹出し口に整流格子が設けられていることを特徴とする請求項１に記載の化学物質排出システム。
【請求項４】
前記天井吸込み口の周囲にフードが設けられていることを特徴とする請求項１〜３のいずれか１の請求項に記載の化学物質排出システム。
【請求項５】
前記フード内に傾斜姿勢のパネルが設けられ、該パネルに前記天井吸込み口が設けられていることを特徴とする請求項４に記載の化学物質排出システム。
【請求項６】
前記作業テーブル上に前記ファンユニットの吸込み口に連通するようにチャンバーボックスが設けられ、該チャンバーボックスの上面に前記化学物質の発生源が載置され、該チャンバーボックスの上面には前記化学物質の発生源の近傍に吸込み口が設けられていることを特徴とする請求項１〜５のいずれか１の請求項に記載の化学物質排出システム。
【請求項７】
前記天井吸込み口から排出された空気中から前記化学物質を除去する化学物質除去装置を備え、該化学物質除去装置により前記化学物質を除去された空気が前記天井吹出し口から室内に吹き出されて循環するように構成されていることを特徴とする請求項１〜６のいずれか１の請求項に記載の化学物質排出システム。
【請求項８】
前記ファンユニットは前記作業者側の端部の反対側の端部に設けられ、前記作業テーブルは前記反対側の端部と室内の壁との間を作業者が通行不能となる程度に該壁に近接して配置されていることを特徴とする請求項１〜７のいずれか１の請求項に記載の化学物質排出システム。
【請求項９】
前記作業テーブルは少なくとも異なる２方向の端部と室内の壁との間を作業者が通行可能となる程度に配置され、前記前記天井吹出し口は前記作業テーブルの少なくとも異なる２方向の端部の上方に設けられていることを特徴とする請求項１〜８のいずれか１の請求項に記載の化学物質排出システム。
【発明の詳細な説明】
【技術分野】
【０００１】
本発明は、室内で作業者が作業する時に発生する化学物質を室外に排出させるための化学物質排出システムに関する。
【背景技術】
【０００２】
一般に、病理検査室では、ホルムアルデヒド等の化学物質を取り扱うため、作業者が化学物質に曝露し健康を害する虞がある。そこで、従来、このような環境下における作業者の安全を確保するため、化学物質を室外に排出する各種技術が提案されている。
【０００３】
この種の従来の関連技術としては、例えば、前面が開放された箱状のチャンバ本体内に化学物質を設置して作業を行い、チャンバ本体に接続されているダクトを介して化学物質を室外に排出するように構成したドラフトチャンバや（特許文献１参照）、或いは、化学物質の発生源の極近傍に排気口を接近させて化学物質が室内に拡散する前に排気するように構成した局所排気装置や、或いは、開口面から一定の風速で送風するプッシュフードとプッシュ気流を捕集して吸引するプルフードとを備えたプッシュプル型換気装置や（特許文献２，３参照）、或いは、フードの端部から給気することでエアカーテンを形成してフード中央部から吸引するように排気する方式の給排気装置や（特許文献４参照）、或いは、床面から天井に向かって吹き出した空気の一部を室外に排気すると共にエアカーテンとして天井から床面へ再度吹き出すことで空気の流れを喫煙スペースとそれ以外の空間とを形成する換気システム（特許文献５参照）等が公知である。
【先行技術文献】
【特許文献】
【０００４】
【特許文献１】実用新案登録第３０７６９９１号公報
【特許文献２】特開平１０−４７７２２号公報
【特許文献３】特開２００７−００３１５６号公報
【特許文献４】特開２００１−１２４３８１号公報
【特許文献５】特開２００１−３３０７２号公報
【発明の概要】
【発明が解決しようとする課題】
【０００５】
しかしながら、上記した従来のドラフトチャンバでは、作業テーブル上に大きな箱状のチャンバ本体を設置しているため、チャンバ本体を設置するための広いスペースやドラフトチャンバを設置するための大掛かりな設備が必要となるという問題がある。
【０００６】
また、上記した従来の局所排気装置では、化学物質を排気するためのダクトが必要となり、該ダクトが作業の邪魔になるという問題や、化学物質を十分に排出するためには大きな排気量が必要となり、外気処理のための空調エネルギーが大きくなるという問題がある。
【０００７】
また、上記した従来のプッシュプル型換気装置では、作業テーブル等の横や上方に換気装置を設置する必要があると共に給排気用のダクトの設置スペースが必要となるため、作業の邪魔になるという問題がある。
【０００８】
また、上記した従来の給排気装置では、厨房において主に水蒸気や燃焼排気ガスを除去することを目的としており、これらの気体は温度が高いため、上昇気流が発生するが、ホルムアルデヒド等の化学物質の排気では、厨房のように上昇気流が発生しない。したがって、上記した従来の給排気装置を化学物質の排出に使用した場合、エアカーテン全体に化学物質が拡散してしまい、効率よく排気口まで空気を流すことができないという問題がある。
【０００９】
また、上記した従来の換気システムでは、汚染物質が発生している室内空気の一部を循環してエアカーテンに利用しており、エアカーテンからは室内を区切るために必要な４ｍ／ｓ程度の風速で空気が吹き出すことを必要とする。したがって、上記した従来の換気システムを化学物質の排出に利用した場合、エアカーテンからの吹き出される空気によって作業者がドラフトを感じるため、作業環境の向上を図ることが難しいという問題や、エアカーテンからの空気によって化学物質を室内に巻き上げてしまうことが考えられるため、エアカーテン内の化学物質濃度が高くなり、エアカーテン内全体を作業スペースとして利用することができないという問題や、天井吹出し口からの空気の吹出し風速が低い場合にはショートサーキットしてしまい、良好な作業環境を形成することができないという問題などがある。
【００１０】
本発明は上記した各種課題を解決すべくなされたものであり、作業者の安全を確保すると共に、作業性の向上を図ることのできる化学物質排出システムを提供することを目的とするものである。
【課題を解決するための手段】
【００１１】
上記した目的を達成するため、本発明は、室内で作業者が作業する時に発生する化学物質を室外に排出させるための化学物質排出システムであって、前記作業者が作業する時に前記化学物質の発生源を載置するための作業テーブルと、該作業テーブルの前記作業者側の端部の上方に設けられる天井吹出し口と、前記作業者側の端部より該作業者を基準として前方の前記作業テーブル上に設けられるファンユニットと、該ファンユニットの上方に設けられる天井吸込み口と、を備え、前記ファンユニットは、前記化学物質の発生源に対向するように設けられる吸込み口と、前記天井吸込み口に対向するように設けられる吹出し口と、を有し、前記天井吹出し口から鉛直下向きに吹き出された空気は、前記作業テーブルの作業者側の端部から前記吸込み口に向かって前記作業テーブルに沿うように流れる過程で前記化学物質を回収した後、前記ファンユニットにより前記吹出し口から鉛直上向きに吹き出され、前記天井吹出し口を介して室外に排出されることを特徴とする。
【００１２】
この特徴によれば、発生源から発生した化学物質は、天井吹出し口からファンユニットを介して天井吸込み口に至る気流に乗って外部に確実に排出され、作業者の呼吸域に拡散するのを防止することができるため、作業者に対する化学物質曝露量を減少させることができ、作業の安全性を高めることができる。また、室内には、作業テーブル上にファンユニットが設置されている以外、給気ダクトや排気ダクト等が露出しておらず、さらに、化学物質の濃度が高い領域はファンユニットから天井吸込み口に至る限定された空間だけであり、広い作業空間を確保することができるため、作業性の向上を図ることができる。
【００１３】
また、本発明に係る化学物質排出システムにおいて、前記天井吹出し口の前記天井吸込み口側端部に垂れ壁が設けられていてもよい。
【００１４】
この特徴によれば、天井吹出し口から吹き出された空気が天井吸込み口にショートサーキットするのを防止することができる。
【００１５】
また、本発明に係る化学物質排出システムにおいて、前記天井吹出し口に整流格子が設けられていてもよい。
【００１６】
この特徴によれば、天井吹出し口からより真下に空気が吹き出され易くなり、周囲への空気の拡散量が減少するため、化学物質の拡散をより確実に防止し、作業者の化学物質の曝露量を削減することができると共に、天井吹出し口から天井吸込み口へのショートサーキットもより確実に防止することができる。
【００１７】
また、本発明に係る化学物質排出システムにおいて、前記天井吸込み口の周囲にフードが設けられていてもよい。
【００１８】
この特徴によれば、ファンユニットの吹出し口から鉛直上向きに吹き出された空気は天井吸込み口に確実に捕集され、室内に拡散するのをより確実に防止することができる。
【００１９】
また、本発明に係る化学物質排出システムにおいて、前記フード内に傾斜姿勢のパネルが設けられ、該パネルに前記天井吸込み口が設けられていてもよい。
【００２０】
この特徴によれば、ファンユニットの吹出し口から鉛直上向きに吹き出された空気はコアンダ効果によってパネルに沿いながら天井吸込み口に確実に吸い込まれるため、フードの外側への空気漏れを防止することができる。
【００２１】
また、本発明に係る化学物質排出システムにおいて、前記作業テーブル上に前記ファンユニットの吸込み口に連通するようにチャンバーボックスが設けられ、該チャンバーボックスの上面に前記化学物質の発生源が載置され、該チャンバーボックスの上面には前記化学物質の発生源の近傍に吸込み口が設けられていてもよい。
【００２２】
この特徴によれば、化学物質の発生面であるチャンバーボックスの上面から吸込み口を介してチャンバーボックス内に化学物質を速やかに回収することができるため、化学物質の拡散をより確実に防止し、作業者に対する化学物質の曝露量を減少させることができ、安全性のさらなる向上を図ることができる。また、化学物質の発生源とチャンバーボックスの吸込み口とが非常に近接しており、排気効率を高めることができるため、給気量及び排気量を削減することができ、省エネルギー効果を高めることができる。
【００２３】
また、本発明に係る化学物質排出システムにおいて、前記天井吸込み口から排出された空気中から前記化学物質を除去する化学物質除去装置を備え、該化学物質除去装置により前記化学物質を除去された空気が前記天井吹出し口から室内に吹き出されて循環するように構成してもよい。
【００２４】
この特徴によれば、化学物質除去装置により化学物質を除去した空気を室内に循環させて、外気処理量を減少させることができるため、外気処理のための空調エネルギーを低減させることができ、さらなる省エネルギー効果を得ることができる。
【００２５】
また、本発明に係る化学物質排出システムにおいて、前記ファンユニットは前記作業者側の端部の反対側の端部に設けられ、前記作業テーブルは前記反対側の端部と室内の壁との間を作業者が通行不能となる程度に該壁に近接して配置されていてもよく、或いは、前記作業テーブルは少なくとも異なる２方向の端部と室内の壁との間を作業者が通行可能となる程度に配置され、前記前記天井吹出し口は前記作業テーブルの少なくとも異なる２方向の端部の上方に設けられていてもよい。
【００２６】
この特徴によれば、ファンユニットから天井吸込み口に至る化学物質の濃度が高い領域の近くを作業者が通行することができないため、作業者に対する化学物質の曝露量をさらに減少させることができ、安全性のさらなる向上を図ることができる。
【発明の効果】
【００２７】
本発明によれば、作業者の安全を確保することができると共に、作業性の向上を図ることができる等、種々の優れた効果を得ることができる。
【図面の簡単な説明】
【００２８】
【図１】本発明の実施の形態に係る化学物質排出システムの全体構成を示す模式図である。
【図２】本発明の実施の形態に係る化学物質排出システムを三次元的に示す斜視図である。
【図３】本発明の実施の形態に係る化学物質排出システムの作用をＣＦＤ解析した結果を示しており、（ａ）は風速ベクトル図であり、（ｂ）はホルムアルデヒドの濃度分布図である。
【図４】本発明の実施の形態に係る化学物質排出システムの天井吹出し口の変形例を示す斜視図である。
【図５】本発明の実施の形態に係る化学物質排出システムの天井吸込み口の変形例を示す側面図である。
【図６】本発明の実施の形態に係る化学物質排出システムの変形例を示す模式図である。
【図７】本発明の実施の形態に係る化学物質排出システムの別の変形例を示す模式図である。
【図８】本発明の実施の形態に係る化学物質排出システムの別の変形例において他の化学物質除去装置を示す模式図である。
【図９】本発明の実施の形態に係る化学物質排出システムのさらに別の変形例を示す模式図である。
【図１０】本発明の実施の形態に係る化学物質排出システムのさらに別の変形例を示す模式図である。
【発明を実施するための形態】
【００２９】
以下、図面を参照しつつ、本発明の実施の形態に係る化学物質排出システムについて説明する。なお、以下の説明では、本発明の除去対象である化学物質をホルムアルデヒドとし、室内におけるホルムアルデヒドの濃度が、特定化学物質障害予防規則に規定されている管理濃度の０．１ｐｐｍ以下となるように構成した場合について例示して説明する。
【００３０】
図１は本発明の実施の形態に係る化学物質排出システムの全体構成を示す模式図であり、図２は本発明の実施の形態に係る化学物質排出システムを三次元的に示す斜視図である。この化学物質排出システムは、病理検査室内の床上に載置される作業テーブル１と、作業テーブル１の上に載置されるファンユニット２と、天井に取り付けられる天井吹出し口３及び天井吸込み口４と、天井吹出し口３に給気ダクト５を介して接続される外気処理空調機６と、天井吸込み口４に排気ダクト７を介して接続される排気ファン８と、を備えて構成されている。
【００３１】
作業テーブル１は、横長長方形の天板９と、天板９の下面側四隅に取り付けられる脚部１０と、を備えており、作業テーブル１の周囲を作業者Ｐが通行可能なように病理検査室内のほぼ中央に配置されている。作業テーブル１には、長辺側一端部１ａの長手方向略中央に化学物質の発生源１１が載置され、作業時には、この発生源１１に向き合うように作業者Ｐが対峙する。なお、作業時、作業者Ｐは起立した姿勢又は椅子に着座した姿勢のいずれの姿勢であってもよく、作業者Ｐの姿勢に合せて脚部１０の長さが設定される。
【００３２】
ファンユニット２は、作業テーブル１の長辺側一端部１ａより作業者Ｐを基準として前方の長辺側他端部１ｂ上に配置され、作業テーブル１の長手方向に沿って横長直方体形状のケーシング１２と、ケーシング１２の内部に配設されるファン１３と、を備えて構成されている。ケーシング１２には、化学物質の発生源１１に対向する側面１２ａに吸込み口１３が設けられ、上面１２ｂに吹出し口１４が設けられており、ファンユニット２は、吹出し口１４からの吹出し風速が３．０ｍ／ｓ以下となるように設定されている。なお、ファンユニット２の吹出し口１４には、整流板（図示せず）を取り付けてもよく、これによって、吸込み口１３から吸い込んだ空気をより拡散させることなく吹出し口１４から鉛直上向きに吹き出すことができる。
【００３３】
天井吹出し口３及び天井吸込み口４は、いずれも、作業テーブル１の長手方向に沿って横長矩形状に形成されており、長辺方向の長さが作業テーブル１の長さとほぼ等しくなるように形成されている。また、天井吹出し口３及び天井吸込み口４の短辺方向の長さは、０．５ｍ以下であるのが好ましく、さらに、天井吹出し口３から鉛直下向きに吹出す空気は、空気が作業者Ｐに当たっても作業者Ｐの快適性を損なわず、且つ、作業テーブル１上の化学物質を回収するのに十分な気流を確保できるように、吹出し風速が０．５ｍ／ｓ以下となるように決定されるのが好ましい。
【００３４】
天井吹出し口３は、作業テーブル１の長辺側一端部１ａの上方に配設され、天井吸込み口４は、ファンユニット２の上方に配設されており、天井吹出し口３からの吹出し風量と天井吸込み口４からの吸込み風量は同値となるように設定されている。天井吹出し口３と天井吸込み口４は、互いに平行を成し、作業テーブル１の大きさ等を考慮すると、天井吹出し口３の端部と天井吸込み口４の端部の離間距離が０．３〜０．７ｍとなるように配置されるのが好ましい。
【００３５】
天井吹出し口３の天井吸込み口４側の端部には、アクリルパネルやロールスクリーン等の垂れ壁１５が垂下されており、垂れ壁１３の高さは、好ましくは１．０ｍ以下であり、より好ましくは、０．３〜０．７ｍである。また、病理検査室内の熱負荷を処理するため、室内にファンコイルユニット（ＦＣＵ）等の空調機（図示省略）を設置する場合には、化学物質を排出させる気流の形成の邪魔にならないような場所に前記空調機を設置すると共に、図２に示すように、天井吹出し口３の天井吸込み口４の反対側の端部にも、垂れ壁１６を取り付けるのが好ましく、この垂れ壁１６は天井吸込み口４側の垂れ壁１５より高さが低い方が好ましい。
【００３６】
天井吸込み口４の周囲にはフード１７が垂下されており、フード１７の高さは、好ましくは０．７ｍ以下である。なお、フード１７を垂下する代わりに、天井吸込み口４を取り付ける天井部分を上方に凹ませて折上げ天井としてもよい。
【００３７】
外気処理空調機６は、箱形状のケーシング１８の内部に、空気の流れ方向に沿って上流側から、冷水コイル１９、温水コイル２０、加湿器２１、及び給気ファン２２が順次配設されて構成されており、天井裏のスペース又は空調機械室に設置されている。
【００３８】
次に、上記した構成を備えた本発明の実施の形態に係る化学物質排出システムの作用について説明する。
【００３９】
先ず、外部から外気処理空調機６に取り入れられた外気は、外気処理空調機６において、冷水コイル１９又は温水コイル２０によって冷却又は加熱されると共に、加湿器２１によって加湿され、所定の温湿度の空気に調整される。その後、該空気は、給気ファン２２によって外気処理空調機６から送出され、給気ダクト５を通って天井吹出し口３から鉛直下向きに病理検査室内に吹き出される。この時、天井吹出し口３に垂れ壁１５が取り付けられているため、天井吹出し口３から吹き出された空気が天井吸込み口４にショートサーキットするのを防止することができる。
【００４０】
天井吹出し口３から鉛直下向きに吹き出された空気は、化学物質の発生源１１に向き合っている作業者Ｐ側に流れると共に、作業テーブル１の長辺側一端部１ａに向かって流れる。そして、空気が作業テーブル１の長辺側一端部１ａに当たると、コアンダ効果によって、長辺側一端部１ａからファンユニット２の吸込み口１３に向かって作業テーブル１の上面に沿うように流れる。
【００４１】
このように空気が作業テーブル１の上面を沿うように流れる過程において、作業テーブル１上の発生源１１から発生した化学物質はこの気流に乗ってファンユニット２の吸込み口１３に吸い込まれ、吹出し口１４から鉛直上向きに吹き出される。そして、このように化学物質を回収して吹出し口１４から鉛直上向きに吹き出された空気は、天井吸込み口４に向かい、排気ダクト７を通って、排気ファン８によって外部に排出される。
【００４２】
図３は本発明の実施の形態に係る化学物質排出システムをＣＦＤ（Computational  Fluid  Dynamics）解析した結果を示しており、（ａ）は風速ベクトル図であり、（ｂ）はホルムアルデヒドの濃度分布図である。
【００４３】
図３（ａ）によれば、天井吹出し口３から吹き出された空気は、ショートサーキットすることなく鉛直下向きに流れ、作業テーブル１の長辺側一端部１ａに当たると、ファンユニット２を通って鉛直上向きに吹き出され、天井吸込み口４に吸い込まれる気流を形成することが分かる。
【００４４】
また、図３（ｂ）によれば、化学物質（ホルムアルデヒド）を回収した空気はファンユニット２を通り、フード１７から溢れて病理検査室内に拡散することなく、天井吸込み口４に吸い込まれて外部に排出されることが分かる。
【００４５】
このように、天井吸込み口４にフード１７が取り付けられているため、ファンユニット２の吹出し口１４から鉛直上向きに吹き出された空気は、天井吸込み口４に確実に捕集され、病理検査室内に拡散するのを防止することができる。また、この時にファンユニット２の吹出し口１４から吹き出される風量は天井吸込み口４の吸込み風量の１／４〜１／２に設定されるのが好ましく、さらに、ファンユニット２の吹出し口１４からの吹出し風速が３．０ｍ以下となるように設定されるのが好ましい。そして、このように設定することによって、ファンユニット２の吹出し口１４から吹き出された空気がフード１７から溢れて病理検査室内に拡散するのをより確実に防止することができる。
【００４６】
上記したように本発明の実施の形態に係る化学物質排出システムによれば、病理検査室内には、作業テーブル１上にファンユニット２が設置されている以外、給気ダクトや排気ダクト等が露出していないため、室内の作業スペースを広く確保することができ、作業性の向上を図ることができる。
【００４７】
また、ファンユニット２は作業テーブル１上に据え置くだけであり、設置が容易であるため、施工性の向上を図ることができる。
【００４８】
また、発生源１１から発生した化学物質は、天井吹出し口３からファンユニット２を介して天井吸込み口４に至る気流に乗って外部に排出され、作業者Ｐの呼吸域に拡散するのを防止することができるため、作業の安全性を高めることができる。
【００４９】
また、病理検査室内において化学物質の濃度が高い領域は、ファンユニット２から天井吸込み口４に至る限定された空間だけであるため、この空間以外は作業空間として広く使用することができるため、作業性のさらなる向上を図ることができる。
【００５０】
また、天井吹出し口３からの空気の吹出し風速が０．５ｍ／ｓ以下となるように調整されているため、この空気が作業者Ｐに当たっても作業者Ｐの快適性を損なうことはなく、また、作業テーブル１上の化学物質を回収するのに十分な気流を確保することができる。
【００５１】
なお、図４に示すように、天井吹出し口３に垂れ壁１５，１６の代わりに整流格子２３を取り付けてもよい。この場合、天井吹出し口３からより真下に空気が吹き出され易くなり、周囲への空気の拡散量が減少するため、化学物質の拡散をより確実に防止し、作業者Ｐの化学物質の曝露量を削減することができると共に、天井吹出し口３から天井吸込み口４へのショートサーキットもより確実に防止することができる。
【００５２】
また、図５に示すように、フード１７内に傾斜姿勢のパネル２４を取り付け、このパネル２４に天井吸込み口４を設けてもよい。この場合、ファンユニット２の吹出し口１４から鉛直上向きに吹き出された空気はコアンダ効果によってパネル２４に沿いながら天井吸込み口４に吸い込まれるため、フード１７の外側への空気漏れを防止することができる。これにより、病理検査室内への化学物質の拡散を防止することができ、作業者Ｐに対する化学物質曝露量を減少させることができ、安全性のさらなる向上を図ることができる。
【００５３】
さらに、図６は本発明の実施の形態に係る化学物質排出システムの変形例を示す模式図であり、この変形例では、作業テーブル１上にファンユニット２の吸込み口１３に連通するようにチャンバーボックス２５が載置されている。そして、このチャンバーボックス２５の上面２５ａに化学物質の発生源１１が載置され、この上面２５ａが作業台として使用されるようになっており、この上面２５ａには化学物質の発生源１１の近傍に吸込み口２６が設けられている。
【００５４】
この変形例の場合、化学物質の発生面であるチャンバーボックス２５の上面２５ａから吸込み口２６を介してチャンバーボックス２５内に化学物質を速やかに回収することができるため、化学物質の拡散をより確実に防止し、作業者Ｐに対する化学物質の曝露量を減少させることができ、安全性のさらなる向上を図ることができる。また、化学物質の発生源１１とチャンバーボックス２５の吸込み口２６とが非常に近接しており、排気効率を高めることができるため、給気量及び排気量を削減することができ、省エネルギー効果を高めることができる。
【００５５】
さらにまた、図７は本発明の実施の形態に係る化学物質排出システムの別の変形例を示す模式図であり、この変形例では、天井吸込み口４から排出された空気中から化学物質を除去する化学物質除去装置３０を設け、この化学物質除去装置３０により化学物質を除去された空気が天井吹出し口３から再び室内に吹き出されて循環されるように構成している。
【００５６】
この化学物質除去装置３０として、例えば、本件と同一の出願人による特開２０１１−１１００７９号公報に記載されている装置を使用することができ、この装置には、空気の流れの方向に沿って上流側から順に、除塵フィルター３１、ホルムアルデヒド除去セクション３２、水洗浄セクション３３、ブロアー３４がそれぞれ配設されている。そして、ホルムアルデヒド除去セクション３２には、ホルムアルデヒド除去剤を貯留する薬液槽３５と、ホルムアルデヒド除去剤を空気に接触させるための気液接触メディア３６が２段並設されて構成される接液部と、該接液部と薬液槽３５との間でホルムアルデヒド除去剤を循環させるための循環ポンプ３７及び循環配管３８と、が設けられ、エアワッシャー方式で空気中に含まれるホルムアルデヒドを除去するようになっている。また、水洗浄セクション３３には、水洗浄用メディア４０と、水洗浄用メディア４０に上方から水を供給する給水配管４１と、水洗浄用メディア４０からの排水を薬液槽３５に返送すると共に弁（図示省略）の切換えにより外部に排出する排水配管４２と、が設けられており、ホルムアルデヒド除去セクション３２からのホルムアルデヒド除去剤の飛散を水洗浄用メディア４０で受け止めるようになっている。
【００５７】
また、他の化学物質除去装置３０’の例として、図８に示すように、アルデヒド除去装置５０と除去液供給装置６０とにより構成された装置を使用することもできる。この場合、アルデヒド除去装置５０には、空気の流れの方向に沿って上流側から順に、除塵フィルター５１、アルデヒド除去セクション５２及びドレンアップポンプ５３、除塵フィルター５４、ブロアー５５が配設され、また、除去液供給装置６０には、２個の貯留タンク６１と、流路切り替え用バルブ６２及び６３と、除去液輸送用ポンプ６４と、純水補給装置６５と、が配設されており、アルデヒド除去装置５０に対して除去液供給装置６０から除去液を供給する操作と該供給を停止する操作とが繰り返されるようになっている。
【００５８】
図７及び図８に示されているように、化学物質除去装置３０，３０’を設置した変形例の場合、化学物質除去装置３０，３０’により化学物質を除去した空気を室内に循環させて、外気処理量を減少させることができるため、外気処理のための空調エネルギーを低減させることができ、さらなる省エネルギー効果を得ることができる。
【００５９】
具体的には、例えば、外気濃度を０．００５ｐｐｍ、室内濃度を０．１００ｐｐｍ、化学物質除去装置３０，３０’通過後の濃度を０．０１０ｐｐｍ（すなわち、室内濃度に対して化学物質を９０％除去）、化学物質除去装置３０，３０’を設置しない場合の外気処理空調機６の外気導入量を１００、化学物質除去装置３０，３０’を設置した場合の外気処理空調機６の外気導入量を３０、化学物質除去装置３０，３０’の通過風量を７０とそれぞれ仮定して試算する。
【００６０】
そうすると、化学物質除去装置３０，３０’を設置した場合、外気と化学物質除去装置３０，３０’通過後の空気とを混合すると、濃度が０．００８５ｐｐｍとなるから、室内濃度を０．１００ｐｐｍに保つためには、化学物質除去装置３０，３０’を設置しない場合の１．７倍の風量が必要となる。したがって、外気処理空調機６に導入する外気量は、１００×０．３×１．７＝５１となり、化学物質除去装置３０，３０’を設置した場合には、化学物質除去装置３０，３０’を設置しない場合と比べて約５０％の外気導入量を削減することができる。すなわち、省エネルギー効果として、約５０％の空調負荷を低減させることができることが分かる。
【００６１】
さらに、図９及び図１０は本発明の実施の形態に係る化学物質排出システムのさらに別の変形例を示す模式図であり、図９の変形例では、作業テーブル１が長辺側他端部１ｂと室内の壁Ｗとの間を作業者Ｐが通行不能となる程度に壁Ｗに近接して配置されている。
【００６２】
また、図１０の変形例では、上記した本発明の実施の形態の場合と同様に、作業テーブル１がその周囲を作業者Ｐが通行可能なように病理検査室内のほぼ中央に配置されているが、ファンユニット２が作業テーブル１の中央に配置されていると共に天井吸込み口４がファンユニット２の上方に配設され、天井吹出し口３が作業テーブル１の異なる２方向の端部１ａ，１ｂの上方に配設されている。なお、この場合、作業テーブル１は少なくとも異なる２方向の端部と室内の壁Ｗとの間を作業者が通行可能となる程度に配置されていれば、必ずしも病理検査室内のほぼ中央に配置されていなくとも良い。
【００６３】
図９及び図１０に示されているような変形例の場合、ファンユニット２から天井吸込み口４に至る化学物質の濃度が高い領域の近くを作業者Ｐが通行することができないため、作業者Ｐに対する化学物質の曝露量をさらに減少させることができ、安全性のさらなる向上を図ることができる。
【００６４】
なお、上記した本発明の実施の形態の説明は、本発明に係る化学物質排出システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６５】
１            作業テーブル
１ａ          長辺側一端部（作業者側の端部）
１ｂ          長辺側他端部（反対側の端部）
２            ファンユニット
３            天井吹出し口
４            天井吸込み口
１１          化学物質の発生源
１５          垂れ壁
１７          フード
２３          整流格子
２４          パネル
２５          チャンバーボックス
２５ａ        上面
２６          吸込み口
３０，３０’  化学物質除去装置
Ｐ            作業者
Ｗ            壁
【図１】
0005476433.tif 000002
【図２】
0005476433.tif 000003
【図４】
0005476433.tif 000004
【図５】
0005476433.tif 000005
【図６】
0005476433.tif 000006
【図７】
0005476433.tif 000007
【図８】
0005476433.tif 000008
【図９】
0005476433.tif 000009
【図１０】
0005476433.tif 000010
【図３】
0005476433.tif 000011